(57)【要約】【課題】  木造建築の外断熱用の断熱壁であって、木造軸組に精度よく簡単に取り付けることができると共にその取付強度を高めることができ、長期にわたり高い品質を確保することができる。【解決手段】  四角な板状の断熱壁本体１と、その表面１Ａに、木造軸組の柱および間柱の間隔と同じ間隔をあけて並列固定される複数の合成木２とより構成され、合成木２は、その幅方向の中央部に、その全長にわたって横断面凹状の凹溝３が形成され、その凹溝３内に、合成木２を木造軸組に固定するためのビスの頭部が埋没される。【選択図】    図２
2008255677.tif 000002
【特許請求の範囲】
【請求項１】
木造軸組（Ｓ）の外側面に取り付けられる木造建築用断熱壁であって、
四角な板状に形成される断熱壁本体（１）と、この断熱壁本体（１）の表面（１Ａ）に、前記木造軸組（Ｓ）の柱（１０）および間柱（１１）の間隔と同じ間隔をあけて並列固定される複数の合成木（２）とより構成され、
前記合成木（２）は、合成樹脂材により横断面四角は棒状に形成されて、その外面には、その幅方向の中央部に、その全長にわたって横断面凹状の凹溝（３）が形成されており、その凹溝（３）内には、この合成木（２）を木造軸組（Ｓ）に固定するためのビス、釘などの固定金具（６）の頭部（６Ｈ）が埋没されることを特徴とする、木造建築用断熱壁。
【請求項２】
前記合成木（２）の凹溝（３）の幅方向の中央には、前記固定金具（６）をガイドする切欠溝（４）が形成されていることを特徴とする、前記請求項１記載の木造建築用断熱壁。
【請求項３】
前記合成木（２）の長さは、断熱壁本体（１）の上下幅よりも短く形成され、断熱壁本体（１）の表面（１Ａ）の上下縁に横方向に延びる帯状の平坦面（１Ａｆ）がそれぞれ形成されることを特徴とする、前記請求項１または２記載の木造建築用断熱壁。
【請求項４】
前記請求項１，２または３記載の木造建築用断熱壁を用いた木造建築の施工方法であって、
木造軸組（Ｓ）の外面に、前記断熱壁（Ｗ）の断熱壁本体（１）の裏面を、その合成木（２）を木造軸組（Ｓ）の柱（１０）および間柱（１１）に一致させて重ね合わせ、ついで、前記固定金具（６）により合成木（２）を通して前記柱（１０）および間柱（１１）に断熱壁（Ｗ）を本止めして、固定金具（６）の頭部（６Ａ）を前記凹溝（３）に埋没させ、ついで、サイディング（１４）の裏面と固定金具（６）の頭部（６Ｈ）との接触を回避して、サイディング（１４）を断熱壁（Ｗ）の外面に取り付けることを特徴とする、木造建築用断熱壁の施工方法。
【発明の詳細な説明】
【技術分野】
【０００１】
本発明は、木造建築物において、その木造軸組の外面に接合される断熱壁およびその断熱壁の施工方法に関する。
【背景技術】
【０００２】
従来、建築物の外壁の屋外側に断熱層を設ける工法が、外断熱工法として知られている（後記非特許文献１参照）。
【非特許文献１】「建築用語  ポケットブック  構造編  」  昭和５９年６月３０日  丸善株式会社発行。
【発明の開示】
【発明が解決しようとする課題】
【０００３】
ところで、木造建築物において、外断熱工法を採用すれば、図８に示すように、木造軸組完成後、その木造軸組の外面に断熱材を張り、その断熱材を木造軸組の柱、間柱などにビス、釘などの固定具で仮止めし、つぎに、その断熱材の外面に防水紙を貼り、その外面に、断熱材とは別体の複数の木製の縦胴縁を取り付け、それらの縦胴縁を断熱材と共にビス、釘などの固定具で、柱、間柱に本止めし、最後に縦胴縁の外面にサイディングを張るようにしていた。
【０００４】
ところが、かかる従来の外断熱工法では、断熱材は、木造軸組に対して、ビス、釘などの固定具による仮止めと本止めとが必要になり、コスト高を招き、また、長期の品質確保が難しいという問題があった。
【０００５】
本発明は、かかる実情に鑑みてなされたものであり、前記問題を解決できるようにした新規な、木造建築用断熱壁およびその断熱壁の施工方法を提供することを目的とする。
【課題を解決するための手段】
【０００６】
上記目的を達成するために、請求項１記載の発明は、木造軸組の外側面に取り付けられる木造建築用断熱壁であって、
四角な板状に形成される断熱壁本体と、この断熱壁本体の表面に、前記木造軸組の柱および間柱の間隔と同じ間隔をあけて並列固定される複数の合成木とより構成され、
前記合成木は、合成樹脂材により横断面四角は棒状に形成されて、その外面には、その幅方向の中央部に、その全長にわたって横断面凹状の凹溝が形成されており、その凹溝内には、この合成木を木造軸組に固定するためのビス、釘などの固定具の頭部が埋没されることを特徴としている。
【０００７】
また、上記目的を達成するために、請求項２記載の発明は、前記請求項１記載のものにおいて、前記合成木の凹溝の幅方向の中央には、前記固定具をガイドする切欠溝が形成されていることを特徴としている。
【０００８】
さらに、上記目的達成のため、請求項３記載の発明は、前記請求項１または２記載のものにおいて、前記合成木の長さは、断熱壁本体の上下幅よりも短く形成され、断熱壁本体の表面の上下縁に横方向に延びる帯状の平坦面がそれぞれ形成されることを特徴としている。
【０００９】
さらにまた、上記目的を達成するために、請求項４記載の発明は、前記請求項１，２または３記載の木造建築用断熱壁を用いた木造建築の施工方法であって、
木造軸組の外面に、前記断熱壁の断熱壁本体の裏面を、その合成木を木造軸組の柱および間柱に一致させて重ね合わせ、ついで、前記固定具により合成木を通して前記柱および間柱に断熱壁を本止めして固定具の頭部を前記凹溝に埋没させ、ついで、サイディングの裏面と固定具の頭部との接触を回避して、サイディングを木造建築用断熱壁の外面に取り付けることを特徴としている。
【発明の効果】
【００１０】
請求項１記載の発明によれば、断熱壁を木造軸組に取り付けるにあたり、従来の通気胴縁を施行する手間と、従来の仮止め作業を省略することができ、該断熱壁の木造軸組への取付コストを大幅に低減することができ、しかもその取付強度を高めることができる。また複数の合成木は腐食することなく、凹溝が通気溝となるので、断熱壁は長期にわたり高い品質を確保することができる。さらに、ビス、釘などの固定具の頭部がサイディングと接触することがなく、しかも合成木とサイディングとの接触面積を少なくすことができので、サイディングの裏面を保護することができる。
【００１１】
また、請求項２記載の発明によれば、合成木の凹溝の幅方向の中央には、ビスなどの固定具をガイドする切欠溝が形成されているので、断熱壁の木造軸組への取付作業が容易になり、しかもその取付精度を高めることができる。
【００１２】
さらに、請求項３記載の発明によれば、断熱壁とサイディングとの間に縦横の通気層を形成することができ、防露性、排水性の一層の向上を図ることができ、また、防水テープの貼着作業性を向上させることができる。
【００１３】
さらにまた、請求項４記載の発明によれば、断熱壁の木造軸組への施行コストを大幅に低減することができ、しかも、外断熱構造の木造建築物の長期にわたる品質確保が可能になる。
【発明を実施するための最良の形態】
【００１４】
以下、本発明の実施の形態を、添付図面に例示した本発明の実施例に基づいて以下に具体的に説明する。
【００１５】
図１〜５は、本発明の第１実施例を示すものであり、図１は、本発明にかかる断熱壁を取り付けた木造建築物の一部斜視図、図２は断熱壁の斜視図、図３は、図２の３−３線に沿う拡大部分断面図。図４は、図１の４矢視図、図５は、図４の５−５線に沿う断面図である。
【００１６】
まず、図２，３を参照して、木造建築の外断熱用断熱壁の構造について説明する。
【００１７】
この断熱壁Ｗは、断熱壁本体１と、複数本の合成木２…とより構成される。断熱壁本体１は、高断熱性があり、しかも軽量であるポリスチレン、ポリウレタンなどの硬質の発泡合成樹脂材により横長の長方形に形成されており、この実施例では、その縦幅（短辺）は９１０ｍｍ、その横幅（長辺）は１，８２０ｍｍである。そして、この断熱壁本体の表面（屋外側）１Ａには、複数本（５本）の合成木２…が横方向に等間隔、この実施例では４１０ｍｍの間隔をあけて平行に貼着などにより一体に取り付けられる。
【００１８】
各合成木２は、ポリスチレンなどの硬質の合成樹脂材により、横断面長方形の細長い棒状に形成されており、断熱壁本体１の縦幅と略同じ長さに形成されている。前述のように複数本の合成木２…は、断熱壁本体１の表面１Ａ（屋外側）に、その横方向に間隔をあけて互いに平行に一体に貼着されており、それらの間隔は、木造軸組Ｓの柱１０および間柱１１の間隔と同じであって、後に述べるように、それらの合成木２…の、柱１０および間柱１１への取り付けがし易くしてある。
【００１９】
図２，３に示すように、各合成木２の表面２Ａ（屋外側）には、その全長にわたって横断面凹状の凹溝３が形成され、この凹溝３は、ビス、釘などの固定具６の頭部６Ｈを受容できる深さと幅を有している（図５参照）。また、この凹溝３の奥壁３Ａには、その幅方向の中央に、その全長にわたり、所定深さの切欠溝４が形成されており、この切欠溝４は、ビス、釘などの固定具６のガイドとして利用される。
【００２０】
つぎに、前述のように構成される断熱壁Ｗの木造軸組Ｓへの施工手順について説明する。
【００２１】
図１，４，５に示すように、基礎Ｂ上に立込まれた木造軸組Ｓの屋外面に防水紙８を張り、その防水紙８上に、前記断熱壁Ｗの裏面１Ｂを張る。つぎに、この断熱壁Ｗを複数のビス６…をもって複数の合成木２…を通して、土台１２上に立設される柱１０および間柱１１に本止めする。このとき、複数の合成木２…の間隔は、木造軸組Ｓの柱１０および間柱１１の間隔と等しくしてあるので、ビス６…による断熱壁Ｗの木造軸組Ｓへの本止めを容易に正確に行うことができ、従来の、断熱材の仮止め作業と縦胴縁を現場で施行する工事を省略することができる。また、このときビス６は、凹溝３の奥壁６Ａに形成した切欠溝４をガイドとすることできるので、ビス６の位置を、簡単に正確に位置決めすることができる。また、ビス６による、断熱壁Ｗ１の柱１０および間柱１１への締め付け完了状態、すなわち本止め完了状態では、図５に示すように、ビス６の頭部６Ａは、凹溝３内に埋没されて合成木２の表面２Ａとの間に隙間ｄが形成される。
【００２２】
断熱壁Ｗの本止め後は、合成木２の表面２Ａにサイディング１４が一体に張られる。このとき、ビス６の頭部６Ｈとサイディング１４の裏面との直接接触がなく、所謂熱橋（ヒートブリッジ）現象が回避されて断熱性能の低下を防止する。また、サイディング１４の裏面と合成木２…との接触面積を少なくしてサイディング１４の裏面を保護している。さらに、合成木２…の凹溝３…はサイディング１４と断熱壁本体１との間に通気溝を形成して、在来の通気胴縁として機能させることができ、さらに、合成木２…は、断熱壁Ｗを柱１０び間柱１１に取り付けるための下地としても機能を持たせることができる。
【００２３】
つぎに、図６，７を参照して本発明の第２実施例について説明する。
【００２４】
図６は、断熱壁の斜視図、図８は、断熱壁を上下に建て込んだ状態を示す斜視図である。
【００２５】
この第２実施例では、複数の合成木２…の長さが断熱壁本体１の縦幅よりも短く形成される。これらの合成木２…は、それらの上端および下端と、断熱壁本体１の上端面および下端面との間にそれぞれ若干の隙間ｃ…をあけて、断熱壁本体１の表面１Ａに一体に取り付けられる。これにより、断熱壁Ｗの表面１Ａの上縁および下縁には、その横方向に連続する帯状の平坦面１Ａｆ，1 Ａｆが形成される。
【００２６】
図７に示すように、複数の断熱壁Ｗ…は、木造軸組Ｓの外面に上下方向に積み上げて張り付けられる。上下の断熱壁Ｗ，Ｗの表面１Ａの接続境界部に形成される帯状の平坦面１Ａｆ、１Ａｆには、防水テープＴが貼着される。
【００２７】
しかして、この第２実施例では、複数の合成木２…の凹溝３…により形成される通気通風路の外に、上下の断熱壁Ｗ，Ｗの接続境界部にも通気通路を形成することができ、よって、断熱壁Ｗとサイディング１４との間に縦横の通気層を形成することができ、防露性、排水性の一層の向上を図ることができ、また、防水テープの貼着作業性を向上させることができる。
【００２８】
以上、本発明の第１、第２実施例について説明したが、本発明はそれらの実施例に限定されることなく、本発明の範囲内で種々の実施例が可能である。たとえば、前記実施例では、固定具としてビスを用いているが、これに代えて釘など他の同効のものを用いてもよい。
【図面の簡単な説明】
【００２９】
【図１】本発明にかかる断熱壁を取り付けた木造建築物の一部斜視図
【図２】断熱壁の斜視図
【図３】図２の３−３線に沿う拡大部分断面図
【図４】図１の４矢視図
【図５】図４の５−５線に沿う断面図
【図６】断熱壁の斜視図（第２実施例）
【図７】断熱壁を上下に建て込んだ状態を示す斜視図（第２実施例）
【図８】従来の断熱壁の取付構造の断面図
【符号の説明】
【００３０】
１・・・・・・本体部分
１Ａ・・・・・表面内面
１Ａｆ・・・・平坦面
２・・・・・・合成木
３・・・・・・凹溝
６・・・・・・凹凸
４・・・・・・切欠溝
６・・・・・・固定具（ビス）
６Ａ・・・・・頭部
１０・・・・・・柱  
１１・・・・・・間柱
１４・・・・・・サイディング
Ｓ・・・・・・木造軸組
Ｗ・・・・・・断熱壁
【図１】
2008255677.tif 000003
【図２】
2008255677.tif 000004
【図３】
2008255677.tif 000005
【図４】
2008255677.tif 000006
【図５】
2008255677.tif 000007
【図６】
2008255677.tif 000008
【図７】
2008255677.tif 000009
【図８】
2008255677.tif 000010